(57)【特許請求の範囲】
【請求項１】
液体を吸引するチューブ部と、
前記チューブ部を支持するチューブ支持部と、
前記チューブ支持部に支持された前記チューブ部に沿って移動可能に配置される当接部と、を有するチューブポンプであって、
前記チューブ部は、一体的に形成されている単一の長尺状でなり、その両端側には、液体を吸引する吸引開口部又は液体を排出する排出開口部が形成され、
前記吸引開口部と前記排出開口部との間には、前記チューブ部に対して液体の移動を促す当接部が移動する当接部移動領域が形成され、
前記チューブ部の前記吸引開口部側及び前記排出開口部側には、前記チューブ支持部によって支持される吸引側被支持部及び排出側被支持部が形成されると共に、
前記吸引側被支持部及び前記排出側被支持部は前記チューブ支持部において屈曲状態で支持され、
前記吸引側被支持部及び前記排出側被支持部が屈曲される方向が前記当接部移動領域の仮想配置面に対して交差する方向であって、
前記吸引側被支持部及び前記排出側被支持部で屈曲された前記チューブ部の前記吸引開口部側及び前記排出開口部側は、前記仮想配置面を基準に相互に反対側に向かって延伸される構成となっていることを特徴とするチューブポンプ。
【請求項２】
前記吸引側被支持部及び前記排出側被支持部で屈曲された前記チューブ部の前記吸引開口部側及び前記排出開口部側は、共に同一の略直線上に配置される構成となっていることを特徴とする請求項１に記載のチューブポンプ。
【請求項３】
前記チューブ支持部がケース部に形成されていること特徴とする請求項１又は請求項２に記載のチューブポンプ。
【請求項４】
液体を吸引するチューブ部と、
前記チューブ部を支持するチューブ支持部と、
前記チューブ支持部に支持された前記チューブ部に沿って移動可能に配置される当接部と、を有するチューブポンプを有する液体噴射装置であって、
前記チューブポンプの前記チューブ部は、一体的に形成されている単一の長尺状でなり、その両端側には、液体を吸引する吸引開口部又は液体を排出する排出開口部が形成され、
前記吸引開口部と前記排出開口部との間には、前記チューブ部に対して液体の移動を促す当接部が移動する当接部移動領域が形成され、
前記チューブ部の前記吸引開口部側及び前記排出開口部側は、前記チューブ支持部によって支持される吸引側被支持部及び排出側被支持部が形成されると共に、
前記吸引側被支持部及び前記排出側被支持部は前記チューブ支持部において屈曲状態で支持され、
前記吸引側被支持部及び前記排出側被支持部が屈曲される方向が前記当接部移動領域の仮想配置面に対して交差する方向であって、
前記吸引側被支持部及び前記排出側被支持部で屈曲された前記チューブ部の前記吸引開口部側及び前記排出開口部側は、前記仮想配置面を基準に相互に反対側に向かって延伸される構成となっていることを特徴とする液体噴射装置。
【発明の詳細な説明】
【技術分野】
【０００１】
本発明は、液体を吸引等するためのチューブポンプ及び液体噴射装置に関するものである。
【背景技術】
【０００２】
従来より、インクジェット式記録装置は、記録用紙等にインクを吐出するためのインクジェット式記録ヘッドを有している。このインクジェット式記録ヘッドは、ノズルを介してインクを記録用紙等に吐出するため、ノズル近傍においてインクが増粘したり、ノズル内に気泡が混入したりして、インクの吐出が良好に行えなくなるおそれがあった。
このため、インクジェット式記録装置には、これらの現象を回避するためヘッドクリーニング装置が備えられている。
【０００３】
ヘッドクリーニング装置は、ノズルを覆うように配置されるキャッピング部と、このキャッピング部内を負圧にするためのポンプを有し、ノズル近傍等のインクをポンプで吸引することで、クリーニングする構成となっている。
ポンプとしては、比較的構造が簡単で、且つ小型化が図り易いチューブポンプが用いられている（例えば、特許文献１）。
チューブポンプ１０には、特許文献１の図３に示すように、インクを吸引するための可撓性チューブ５１が用いられている。そして、この可撓性チューブ５１が円形に屈曲されて配置されるため、一部で可撓性チューブ５１が交差して配置されている。
また、チューブポンプ１０には、同文献の図３に示すように、ローラ４３ａが配置されている。このローラ４３ａは、可撓性チューブ５１を押し潰すように配置され、且つ矢印Ａ方向に移動させられる構成となっている。そして、ローラ４３ａの移動により可撓性チューブ５１内に負圧が生じ、インクを吸引する構成となっている。
【０００４】
図５は、ローラ４３ａと可撓性チューブ５１の配置状態を、同文献の図３の側面図側から見た概略図である。
図５に示すように、ローラ４３ａは、ポンプホイル４２とローラガイド５５と間に配置されている。ポンプホイル４２は、ローラ４３ａと可撓性チューブ５１との相対位置を調整するものであり、ローラガイド５５は、ローラ４３ａの回転位置をガイドするものである。
また、可撓性チューブ５１は、同文献の図３の可撓性チューブ５１の交差部分より上側で図示しないケースに固定されている。
すなわち、可撓性チューブ５１は、交差部分より外側のみが固定され、同文献の図３の下側である可撓性チューブ５１の先端側は図５に示すように、ローラ４３ａの表面に固定されずに配置されている。
【特許文献１】特開２００２−３４９４５２号公報（図３等）
【発明の開示】
【発明が解決しようとする課題】
【０００５】
図５の可撓性チューブ５１の先端部（図５の左側）は、可撓性チューブ５１の固定側から最も離れた位置に置かれる。この状態で、可撓性チューブ５１が、ローラ４３ａによって押し潰されると、可撓性チューブ５１の先端部は、図５の矢印Ｕの方向に沿ってその位置を変化させることになる。
さらに、可撓性チューブ５１が矢印Ｕの上下方向に動くと、遂には、図５のローラ４３ａの角であるＵ１やＵ２の位置に達することになる。
この場合は、ローラ４３ａが可撓性チューブ５１から外れ、可撓性チューブ５１を十分押し潰すことができず、吸引不良の原因となるという問題があった。
また、可撓性チューブ５１が図５のローラガイド５５の下面や、ポンプホイル４２の上面に張り付くように配置されることもある。
この場合は、ローラ４３ａで可撓性チューブ５１を押し潰そうとしても、ローラガイド５５等が邪魔して、十分に押し潰すことができず、やはり吸引不良の原因となるという問題があった。
【０００６】
そこで、本発明は、チューブ等のチューブ部をローラ等の当接部に対して適正位置に配置することで吸引不良等が生じにくいチューブポンプ及び液体噴射装置を提供することを目的とする。
【課題を解決するための手段】
【０００７】
前記課題は、本発明によれば、液体を吸引するチューブ部と、前記チューブ部を支持するチューブ支持部と、前記チューブ支持部に支持された前記チューブ部に沿って移動可能に配置される当接部と、を有するチューブポンプであって、前記チューブ部は、一体的に形成されている単一の長尺状でなり、その両端側には、液体を吸引する吸引開口部又は液体を排出する排出開口部が形成され、前記吸引開口部と前記排出開口部との間には、前記チューブ部に対して液体の移動を促す当接部が移動する当接部移動領域が形成され、前記チューブ部の前記吸引開口部側及び前記排出開口部側には、前記チューブ支持部によって支持される吸引側被支持部及び排出側被支持部が形成されると共に、前記吸引側被支持部及び前記排出側被支持部は前記チューブ支持部において屈曲状態で支持され、前記吸引側被支持部及び前記排出側被支持部が屈曲される方向が前記当接部移動領域の仮想配置面に対して交差する方向であって、前記吸引側被支持部及び前記排出側被支持部で屈曲された前記チューブ部の前記吸引開口部側及び前記排出開口部側は、前記仮想配置面を基準に相互に反対側に向かって延伸される構成となっていることを特徴とするチューブポンプにより達成される。
【０００８】
前記構成によれば、チューブ部の吸引側被支持部及び排出側被支持部はチューブ支持部において屈曲状態で支持される。そして、この状態で当接部がチューブ部の当接部移動領域に沿って、例えばチューブを押し潰すように移動する。
このとき、当接部によって例えば、押し潰されているチューブ部のうち、チューブ部の吸引側被支持部及び排出側被支持部から離間した位置に配置される部分である先端部等は、従来は大きく移動する構成となっていた。
しかし、本請求項の発明では、チューブの吸引側被支持部及び排出側被支持部はチューブ支持部において屈曲状態で支持され、吸引側被支持部及び排出側被支持部が屈曲される方向が当接部移動領域の仮想配置面に対して交差する方向であって、吸引側被支持部及び排出側被支持部で屈曲されたチューブ部の吸引開口部側及び排出開口部側は、仮想配置面を基準に相互に反対側に向かって延伸される構成となっている。
すなわち、チューブの当接部移動領域が、例えば、水平方向に配置され、この水平方向に配置されている部分を仮想配置面としたときは、チューブの吸引側被支持部及び排出側被支持部が屈曲される方向は、この水平方向と交差する方向、例えば略垂直方向である。
さらに、チューブの吸引側被支持部及び排出側被支持部が屈曲される方向は、例えば水平方向に配置され仮想配置面を基準に相互に反対側に向かって延伸されている。
すなわち、例えば、吸引側被支持部側は略垂直方向の上方向に向かって配置され、一方排出側被支持部側は略垂直方向の下方向に向かって配置されることになる。
【０００９】
このように、チューブの吸引側被支持部を屈曲させ、例えば略垂直方向の上方向に向かって配置させると、この吸引側被支持部と連接している上記水平方向に配置されるチューブ部の当接部移動領域には、略垂直方向の下方向に移動する力が働く。
一方、チューブの排出側被支持部を屈曲させ、例えば略垂直方向の下方向に向かって配置されると、この排出側被支持部と連接している上記水平方向に配置されるチューブ部の当接部移動領域には、逆に略垂直方向の上方向に移動する力が働く。
したがって、当接部移動領域には、例えば、略垂直方向における上方向と下方向の力が共に加わるため力が拮抗した位置で自立して停止する。
このため、当接部移動領域を当接部が移動し、チューブ部を例えば、押し潰すように移動しても、当接部移動領域には、力が働いて自立しているため、その先端部等であっても大きく移動（例えば、略垂直方向）することがない。
したがって、チューブ部が大きく移動して、当接部から外れたり、近傍にある部品に当接したりすることで、当接部が正しくチューブ部を押し潰すことができないという事態の発生を防ぐことができる。このため、チューブポンプの吸引不良が発生することを未然に防ぐことができる。
【００１０】
好ましくは、前記吸引側被支持部及び前記排出側被支持部で屈曲された前記チューブ部の前記吸引開口部側及び前記排出開口部側は、共に同一の略直線上に配置される構成となっていることを特徴とするチューブポンプである。
【００１１】
前記構成によれば、吸引側被支持部及び排出側被支持部で屈曲されたチューブ部の吸引開口部側及び排出開口部側は、共に同一の略直線上に配置される構成となっている。
すなわち、吸引側被支持部の屈曲で当接部移動領域に働く力の向き（ベクトル）と、排出側被支持部の屈曲で当接部移動領域に働く力の向き（ベクトル）は、略１８０°（度）異なる逆向きのため、当接部移動領域では力が拮抗し、より安定して自立させることができる。
【００１２】
好ましくは、前記チューブ支持部がケース部に形成されていること特徴とするチューブポンプである。
【００１３】
前記構成によれば、チューブ支持部がケース部に形成されているので、チューブ支持部を別個に形成する必要がなく、製造コストを低減することができる。
【００１４】
前記課題は、本発明によれば、液体を吸引するチューブ部と、前記チューブ部を支持するチューブ支持部と、前記チューブ支持部に支持された前記チューブ部に沿って移動可能に配置される当接部と、を有するチューブポンプを有する液体噴射装置であって、前記チューブポンプの前記チューブ部は、一体的に形成されている単一の長尺状でなり、その両端側には、液体を吸引する吸引開口部又は液体を排出する排出開口部が形成され、前記吸引開口部と前記排出開口部との間には、前記チューブ部に対して液体の移動を促す当接部が移動する当接部移動領域が形成され、前記チューブ部の前記吸引開口部側及び前記排出開口部側は、前記チューブ支持部によって支持される吸引側被支持部及び排出側被支持部が形成されると共に、前記吸引側被支持部及び前記排出側被支持部は前記チューブ支持部において屈曲状態で支持され、前記吸引側被支持部及び前記排出側被支持部が屈曲される方向が前記当接部移動領域の仮想配置面に対して交差する方向であって、前記吸引側被支持部及び前記排出側被支持部で屈曲された前記チューブ部の前記吸引開口部側及び前記排出開口部側は、前記仮想配置面を基準に相互に反対側に向かって延伸される構成となっていることを特徴とする液体噴射装置により達成される。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本発明のチューブポンプを有する液体噴射装置の実施の形態にかかるインクジェット式記録装置（以下「記録装置」という）１０を示す概略斜視図である。
図１に示すように、記録装置１０は、フレーム１１を有し、フレーム１１にはプラテン１２が配置されている。このプラテン１２上には、図示しない紙送り機構により用紙Ｐが給送される構成となっている。
また、記録装置１０は、キャリッジ１３を有し、キャリッジ１３は、ガイド部材１４を介してプラテン１２の長手方向へ移動可能に支持され、キャリッジモータ１５によりタイミングベルト１６を介して往復運動される構成となっている。
【００１７】
キャリッジ１３には、その下部に、インクジェット式記録ヘッド（以下「記録ヘッド」という）２０を搭載している。記録ヘッド２０は、用紙Ｐに対して液体である例えば、インクを吐出する構成となっている。
具体的には、記録ヘッド２０は、インクを吐出するノズルを有し、圧電振動子の伸縮等によりノズルからインク滴が吐出される構成となっている。
キャリッジ１３上には、インクを収容するインクカートリッジ１７が着脱可能に搭載され、インクカートリッジ１７から記録ヘッド２０へインクが供給される構成となっている。
すなわち、キャリッジ１３がプラテン１２に沿って移動しながら、印刷データに基づいて、圧電振動子が伸縮されることで、記録ヘッド２０から用紙Ｐにインクが吐出されて、印刷が行われる構成となっている。
【００１８】
図１のフレーム１１には、用紙Ｐが配置され、用紙Ｐに対して印字が行われる印刷領域Ｔを有している。また、フレーム１１は、その一端側に非印刷領域であるホームポジションＨを有している。
キャリッジ１３は、プラテン１２に沿って移動することで、印刷領域ＴとホームポジションＨとの間を移動可能な構成となっている。
【００１９】
ホームポジションＨには、図１に示すように、ヘッドクリーニング機構３０が配置されている。ヘッドクリーニング機構３０には、キャップホルダ３１とチューブポンプ１００を有している。キャップホルダ３１は、図示しない公知の昇降手段により上下動可能にフレーム１１に設置されている。
【００２０】
また、ヘッドクリーニング機構３０は、キャップ３２を有している。キャップ３２は、その上端縁が記録ヘッド２０のノズルプレート等に当接して、記録ヘッド２０のノズルを封止することが可能な構成となっている。
【００２１】
ところで、図１に示すように、記録装置１０には、ブレード１９が備わっている。このブレード１９は、記録ヘッド２０のノズルプレートに当接し、インクを拭き取ることでワイピング動作を行う構成となっている。
【００２２】
図２は、図１のヘッドクリーニング機構３０等を示す概略図である。
キャップ３２には、その底部に図２に示すように、シート状のスポンジ３２ａが配置されている。このスポンジ３２ａは、キャップ３２が記録ヘッド２０に当接した状態で、記録ヘッド２０のノズルと所定間隔をおいて対向し、記録ヘッド２０のノズルから吐出されるインクを吸収する構成となっている。
【００２３】
さらに、図２に示すように、キャップ３２には、その底面を貫通するように排出口３２ｂが形成されている。
チューブポンプ１００は、キャップ３２が記録ヘッド２０のノズルを封止した状態で、キャップ３２内を減圧し、負圧にし、記録ヘッド２０のノズルからインクを吸引し、フレーム１１内に設けられている廃インクタンク３３にインクを排出する構成となっている。
【００２４】
図３及び図４は、チューブポンプ１００の主な構成を示す概略図である。図３に示すように、チューブポンプ１００には、インクを吸引するチューブ部である例えば、チューブ１１０を有している。
チューブ１１０は、図３に示すように、ゴムや樹脂等で一体的に形成され、単一の長尺状となっている。また、チューブ１１０の両端側には、それぞれインクを吸引する吸引開口部である例えば、キャップ側開口１１１と、インクを排出する排出開口部である例えば、廃インクタンク側開口１１２が形成されている。
また、キャップ側開口１１１と廃インクタンク側開口１１２との間には、チューブ１１０に対してインクの移動を促す当接部である例えば、ローラ１３０が移動するローラ移動部１１４を有している。
すなわち、ローラ移動部１１４は、当接部移動領域の一例である。
【００２５】
また、図３及び図４に示すように、チューブポンプ１００には、チューブ１１０を配置するためのケース１２０を有している。
ケース１２０には、チューブ１１０を支持するための２つのチューブ支持部１２１ａ、１２１ｂが形成されている。
これらチューブ支持部の一方であるチューブ支持部１２１ａには、チューブ１１０のキャップ側開口１１１側である吸引側被支持部１１３ａが支持されている。
また、チューブ支持部の他方側であるチューブ支持部１２１ｂには、チューブ１１０の廃インクタンク側開口１１２側である排出側被支持部１１３ｂが支持されている。
【００２６】
また、図３の吸引側被支持部１１３ａ及び排出側被支持部１１３ｂは、図４に示すようにチューブ支持部１２１ａ、１２１ｂにおいて屈曲状態で支持されている。
また、図４の吸引側被支持部１１３ａ及び排出側被支持部１１３ｂが屈曲される方向が、図４に示す、ローラ移動部１１４が配置される仮想配置面Ｖに対して交差する方向、図の上下方向となっている。
また、図４の吸引側被支持部１１３ａ及び排出側被支持部１１３ｂで屈曲されたチューブ１１０のキャップ側開口１１１側及び廃インクタンク側開口１１２側は、仮想配置面Ｖを基準に相互に反対側に向かって配置されている。
すなわち、チューブ１１０のキャップ側開口１１１側は、図の上方向に向かって配置され、チューブ１１０の廃インクタンク側開口１１２側は、図の下方向に向かって配置されている。
【００２７】
また、本実施の形態では、図４に示すように、図４の吸引側被支持部１１３ａ及び排出側被支持部１１３ｂで屈曲されたチューブ１１０のキャップ側開口１１１側及び廃インクタンク側開口１１２側は、共に同一の略直線（図のＳで示す仮想直線）上に配置される構成となっている。
【００２８】
ところで、図３及び図４に示すように、本実施の形態では、チューブ１１０の吸引側被支持部１１３ａ及び排出側被支持部１１３ｂが、チューブ支持部１２１ａ、１２１ｂによってそれぞれ支持されたとき、ケース１２０内に配置されているチューブ１１０のローラ移動部１１４は略円形に配置される。
そして、このようなローラ移動部１１４に沿ってローラ１３０が移動する構成となっている。
具体的には、図４に示すように、ローラ１３０は、モータによって回転するポンプホイル１４０に対してローラ軸１３１を介して係止されている。このため、図３に示すように、ポンプホイル１４０の回転によってローラ１３０がチューブ１１０に沿って矢印Ｌ又は矢印Ｒ方向に移動可能となっている。
また、ポンプホイル１４０には、ローラ軸溝１４１が形成されている。ローラ軸溝１４１には、ローラ１３０をチューブ１１０に押しつける、すなわち、ローラ１３０がチューブ１１０を押し潰す状態となる吸引位置１４１ａと、ローラ１３０がチューブ１１０を押し潰さない状態となるレリース位置１４１ｂとを有している。
【００２９】
そして、ポンプホイル１４０は回転することで、ローラ１３０をローラ軸溝１４１の吸引位置１４１ａ又はレリース位置１４１ｂに配置させる構成となっている。
具体的には、図３の矢印Ｒ方向にポンプホイル１４０が回転すると、ローラ１３０は、ローラ軸溝１４１のレリース位置１４１ｂに配置され、チューブ１１０を押し潰さない状態、換言すれば、チューブポンプ１００がインクを吸引しない状態となる。
一方、ポンプホイル１４０が図３の矢印Ｌ方向に回転すると、ローラ１３０はローラ軸溝１４１の吸引位置１４１ａに配置され、チューブ１１０を押し潰し、チューブポンプ１００がインクを吸引する状態となる。
【００３０】
本実施の形態に係るチューブポンプ１００を有する記録装置１０は、以上のように構成される。このため、以下のような作用等を奏することとなる。
まず、ポンプホイル１４０が図３の矢印Ｌ方向に回転すると、ローラ１３０はローラ軸溝１４１の吸引位置１４１ａに配置され、チューブ１１０が押し潰された状態となる。
この状態でポンプホイル１４０が、さらに矢印Ｌ方向に回転すると、チューブポンプ１００は、インクの吸引を開始する。
このとき、図４のチューブ１１０の吸引側被支持部１１３ａ及び排出側被支持部１１３ｂから最も離間しているチューブ１１０のローラ移動部１１４の先端部１１５は、チューブ１１０が支持されている位置から最も離れているため、ローラ１３０の移動により図４の矢印Ｚ方向へ移動し易い状態となり、図５に示すように、チューブ５１がＵ１等の位置に達するまで大きく移動する場合があった。
この場合は、チューブ５１の先端部が大きく動き易く図５のＵ１の位置に達し、ローラ４３ａによるチューブ５１の吸引が不十分となり、チューブポンプの吸引不良等が生じ易い状態となっていた。
【００３１】
しかし、本実施の形態では、図４に示すように、チューブ１１０の吸引側被支持部１１３ａ及び排出側被支持部１１３ｂは、ケース１２０のチューブ支持部１２１ａ、１２１ｂにおいて屈曲状態で支持され、吸引側被支持部１１３ａ及び排出側被支持部１１３ｂの屈曲される方向が、仮想配置面Ｖに対して交差する方向となっている。
また、吸引側被支持部１１３ａの屈曲される方向は、この仮想配置面Ｖを基準に上方向となり、一方、排出側被支持部１１２の屈曲される方向は、仮想配置面Ｖを基準に下方向
となっている。
このように、チューブ１１０の吸引側被支持部１１３ａを上方向に向かって配置させると、この吸引側被支持部１１３ａと連接している図４のローラ移動部１１４には、下方向に移動させる力が働く。
一方、チューブ１１０の排出側被支持部１１３ｂを下方向に向かって配置させると、この排出側被支持部１１３ｂと連接しているローラ移動部１１４には、上方向に移動させる力が働く。
【００３２】
このようにローラ移動部１１４には、上方向と下方向の力が共に加わるため力が拮抗した位置で、ローラ移動部１１４は自立して停止する。
このため、ローラ移動部１１４に沿ってローラ１３０が移動し、チューブ１１０を押し潰しても、ローラ移動部１１４には、力が働いて自立しているため、その先端部１１５であっても、大きく図４のＺ方向に移動することがない。
したがって、ローラ移動部１１４の先端部１１５が大きくＺ方向に移動して、ローラ１３０から外れたりすることを防ぐことができる。
また、先端部１１５が移動することで、チューブ１１０の他の部分が近傍に存在するポンプホイル１４０の上面やローラガイド１５０の下面に当接し、ローラ１３０によって正しくチューブ１１０を押し潰すことができないという事態の発生も防ぐことができる。
このため、チューブポンプ１００の吸引不良等の発生も未然に防ぐことができる。
さらに、本実施の形態では、ローラ１３０に対するチューブ１１０の姿勢の悪化による生じるチューブポンプ１００の摺動負荷の増加を抑制することができる。
また、ローラ１３０に対するチューブ１１０の姿勢の悪化による生じる騒音の発生を防ぐことができるため、チューブポンプ１００の低騒音化や低振動化を達成することができる。
【００３３】
また、本実施の形態では、図４に示すように、吸引側被支持部１１３ａ及び排出側被支持部１１３ｂで屈曲されたチューブ１１０のキャップ側開口１１１側及び廃インクタンク側開口１１２側が、共に同一の略直線Ｓ上に配置されている。
すなわち、吸引側被支持部１１３ａが上向きに屈曲して、これと連接するローラ移動部１１４に働く力の向き（ベクトル）と、排出側被支持部１１３ｂが下向きに屈曲して、これと連接するローラ移動部１１４に働く力の向き（ベクトル）は、略１８０°（度）異なる逆向きのため、ローラ移動部１１４、特に先端部１１５では力が拮抗し、より安定して自立させることができる。
【００３４】
また、本実施の形態では、チューブ支持部１２１ａ、１２１ｂをケース１２０に形成しているため、チューブ支持部１２１ａ、１２１ｂを別個に形成する必要がなく、チューブポンプ１００の製造コストを低減させることができる。
【００３５】
本発明は、上述の実施の形態に限定されない。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレー）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【図面の簡単な説明】
【００３６】
【図１】本発明のチューブポンプを有する液体噴射装置の実施の形態にかかるインクジェット式記録装置を示す概略斜視図である。
【図２】図１のヘッドクリーニング機構等を示す概略図である。
【図３】チューブポンプの主な構成を示す概略図である。
【図４】チューブポンプの主な構成を示す他の概略図である。
【図５】ローラと可撓性チューブの配置状態を、同文献の図３の側面図側から見た概略図である。
【符号の説明】
【００３７】
１０・・・インクジェット式記録装置、３０・・・ヘッドクリーニング機構、１００・・・チューブポンプ、１１０・・・チューブ、１１１・・・キャップ側開口、１１２・・・廃インクタンク側開口、１１３ａ・・・吸引側被支持部、１１３ｂ・・・排出側被支持部、１１４・・・ローラ移動部、１１５・・・先端部、１２０・・・ケース、１２１ａ、１２１ｂ・・・チューブ支持部、１３０・・・ローラ、１４０・・・ポンプホイル、１４１・・・ローラ軸溝、１４１ａ・・・吸引位置、１４１ｂ・・・レリース位置、１５０・・・ローラガイド
【図１】
0004687371.tif 000002
【図２】
0004687371.tif 000003
【図３】
0004687371.tif 000004
【図４】
0004687371.tif 000005
【図５】
0004687371.tif 000006